(57)【特許請求の範囲】
【請求項１】
それぞれボタン電話機が内線として収容される部署毎に設定されているボタン電話装置間がＬＡＮを介して接続されたボタン電話システムであって、
発信側ボタン電話装置は、電話機ダイヤル解析部、呼制御実行部、回線制御部およびＩＰプロトコル制御部を備え、
前記電話機ダイヤル解析部は、前記ボタン電話機からのボタン押下情報を解析し、電話機の発呼制御の場合には、前記呼制御実行部に対し呼制御情報を出力し、
前記呼制御実行部は、前記呼制御情報を受け、該当する空き回線の前記回線制御部に呼制御要求を出力し、
前記回線制御部は、回線がＶｏＩＰトランクの場合には、前記ＩＰプロトコル制御部に対し、回線制御要求（ダイヤル情報）を出力し、
前記ＩＰプロトコル制御部は、予め登録された相手先番号とＩＰアドレスの対応テーブルにより、着番号にダイヤルされた相手番号を入れ、ＩＰパケット（ＩＰプロトコル）を送出し、
受信側ボタン電話装置は、ＩＰプロトコル制御部、回線制御部、呼制御実行部、電話機制御部を備え、
前記ＩＰプロトコル制御部は、ＩＰパケットを受信し、受信した着番号から内線個別呼出処理又は外線着信受付処理を判別し、
外線着信受付処理の場合には、対応するトランク番号を求め、前記回線制御部に対し、回線制御情報を出力し、
前記回線制御部は、前記呼制御実行部を経由して前記電話機制御部に対し、該当するトランクの着信指示（呼制御要求）を要求し、
前記電話機制御部は、予め該当トランクは部署毎に区別された設定がなされて、該当する部署毎のボタン電話機のみへの着信を行うことを特徴とするボタン電話システム。
【請求項２】
前記ＩＰプロトコル制御部における内線個別呼び出し処理か外線着信受付処理かの判断は、着番号を取り出し、着番号桁数が７桁未満か否か判断し、７桁未満であれば、内線個別呼び出し処理とし、７桁以上であれば、外線着信受付処理とすることを特徴とする請求項１に記載のボタン電話システム。
【発明の詳細な説明】
【０００１】
【発明の属する技術分野】
本発明はボタン電話システムに関し、特にＶｏＩＰ機能を取り込んだボタン電話システムに関する。
【０００２】
【従来の技術】
インターネットの普及により、単なる情報検索および電子メールのみならず音声、ファクシミリおよび映像（画像）情報の伝送等への応用が行われている。既存のボタン電話システムによりインターネットを介して音声情報を実時間で伝送するＩＰ（Internet Protocol）電話機であるＶｏＩＰ（Voice over ＩＰ）が実用化されつつある。
【０００３】
ボタン電話システムおよびＩＰ電話機に関する又は関連する従来技術は、例えば特開２０００−３０７７２４号公報の「ボタン電話装置、それを用いた電子メールシステム及びそのメール着信通知、転送方法」、特開２００１−１１１５９８号公報の「マルチメディア通信システム」、特開２００１−１１１６９８号公報の「通信システム」、特開２００１−１１９７３８号公報の「ボタン電話装置」、特開２００１−１７７５５７号公報の「インターネット網に接続可能な電話通信装置と主電話制御装置とＩＰアドレスを管理する方法」および特開２００１−２１７９２９号公報の「電話機の発信制御装置及び着信制御装置」等に開示されている。
【０００４】
【発明が解決しようとする課題】
これら従来のボタン電話装置およびＰＢＸ（構内電子交換機）システムにおいて、専用線をベースにシステム間接続を構築する場合には、物理的な回線毎に同一システム内のどの部署へ呼び出す等の仕組みがとられていた。しかし、この専用線をＩＰ接続とした場合には、物理的な回線やチャネルのイメージがなくなり、同様な考え方を用いるには、部署毎に別々のＩＰアドレスをアサインしなければならなくなる。また、ＤＳＮ（Domain Name Server）を構築して、ユニークな名前でコミュニケーションを行うかＩＰアドレスでプライベートアドレスをグローバルアドレスに変換するためのＮＡＴ（Network Address Translator）機能で内部ＩＰアドレスを独自のプロトコルでやりとりする必要がある。特に、ボタン電話機からの操作を考慮するとユニークな名前を入力することは従来からの操作を考慮すると非常に操作性が悪く、従来の電話番号ベースでのやりとりが必要不可欠となるという課題がある。
【０００５】
【発明の目的】
本発明は従来技術の上述した課題に鑑みなされたものであり、同一システム向けへの呼に対しては１つのＩＰアドレスのアサインでよいボタン電話システムを提供することを目的とする。
【０００６】
【課題を解決するための手段】
本発明のボタン電話システムは、それぞれボタン電話機が内線として収容される部署毎に設定されているボタン電話装置間がＬＡＮを介して接続されたボタン電話システムであって、発信側ボタン電話装置は、電話機ダイヤル解析部、呼制御実行部、回線制御部およびＩＰプロトコル制御部を備え、前記電話機ダイヤル解析部は、前記ボタン電話機からのボタン押下情報を解析し、電話機の発呼制御の場合には、前記呼制御実行部に対し呼制御情報を出力し、前記呼制御実行部は、前記呼制御情報を受け、該当する空き回線の前記回線制御部に呼制御要求を出力し、前記回線制御部は、回線がＶｏＩＰトランクの場合には、前記ＩＰプロトコル制御部に対し、回線制御要求（ダイヤル情報）を出力し、前記ＩＰプロトコル制御部は、予め登録された相手先番号とＩＰアドレスの対応テーブルにより、着番号にダイヤルされた相手番号を入れ、ＩＰパケット（ＩＰプロトコル）を送出し、受信側ボタン電話装置は、ＩＰプロトコル制御部、回線制御部、呼制御実行部、電話機制御部を備え、前記ＩＰプロトコル制御部は、ＩＰパケットを受信し、受信した着番号から内線個別呼出処理又は外線着信受付処理を判別し、外線着信受付処理の場合には、対応するトランク番号を求め、前記回線制御部に対し、回線制御情報を出力し、前記回線制御部は、前記呼制御実行部を経由して前記電話機制御部に対し、該当するトランクの着信指示（呼制御要求）を要求し、前記電話機制御部は、予め該当トランクは部署毎に区別された設定がなされて、該当する部署毎のボタン電話機のみへの着信を行う。
ここで、前記ＩＰプロトコル制御部における内線個別呼び出し処理か外線着信受付処理かの判断は、着番号を取り出し、着番号桁数が７桁未満か否か判断し、７桁未満であれば、内線個別呼び出し処理とし、７桁以上であれば、外線着信受付処理とする。
【０００９】
【発明の実施の形態】
以下、本発明によるボタン電話システムの好適実施形態の構成および動作を、添付図面を参照して詳細に説明する。
【００１０】
先ず、図１は、本発明によるボタン電話システムの全体構成図である。ボタン電話装置ＡおよびＢが、それぞれＬＡＮ（Local Area Network）２００、２１０に接続され、更にそれぞれルータ２０１、２１１およびＩＰネットワーク３００を介して相互接続されている。ボタン電話装置１００、１１０には、それぞれ複数のボタン電話機１０１が接続されている。また、ＬＡＮ２００、２１０には、それぞれゲートキーパ２０２、２１２が接続されている。
【００１１】
ここで、各ボタン電話機１０１は、ボタン電話装置１００又は１１０の内線として接続されている電話機である。各ボタン電話機１０１は、部署（例えば、営業部、開発部、経理部等）の電話機としてデータ設定されており、部署毎に別々の電話番号（代表番号）を有し、部署毎に電話を受けることが可能である。上述の如く、ボタン電話装置１００と１１０は、それぞれのＬＡＮ２００、２１０からルータ２０１、２１１およびＩＰネットワーク経由で接続されている。
【００１２】
次に、図２は、本発明によるボタン電話システムの第１実施形態の構成を示すブロック図である。各ボタン電話装置１００、１１０は、電話機ダイヤル解析部１０２、呼制御実行部１０３、回線制御部１０４およびＩＰプロトコル制御部１０６を備えている。また、電話機ダイヤル解析部１０２には、ボタン電話機１０１が接続されている。ＩＰプロトコル制御部１０６は、それぞれ対応するＬＡＮ２００、２１０に接続されている。
【００１３】
動作を説明すると、発信側ボタン電話装置１００に接続されているボタン電話機１０１からのボタン押下情報を電話機ダイヤル解析部１０２で解析する。電話機の発呼制御の場合には、呼制御実行部１０３に対し呼制御情報Ｂを出力する。呼制御実行部１０３は、該当する空き回線の回線制御部１０４に呼制御要求Ｃを出力する。
【００１４】
一方、回線がＶｏＩＰトランクの場合には、ＩＰプロトコル制御部１０６に対し、回線制御要求（ダイヤル情報）Ｅを出力する。ＩＰプロトコル制御部１０６では、予め登録された相手先番号とＩＰアドレスの対応テーブルにより、ＩＰパケット（ＩＰプロトコル）Ｆを送出する。その場合に、着番号には、ダイヤルされた相手番号を入れる。受信側ボタン電話装置１１０では、ＩＰプロトコル制御部１０６でＩＰパケットＧを受信し、受信した着番号から図３に示す如く、着番号桁数から内線個別呼出処理又は外線着信受付処理を判別する。即ち、先ず着番号を取り出す（ステップＳ１）。次に、着番号桁数が７桁未満か否か判断する（ステップＳ２）。７桁未満であれば、内線個別呼び出し処理を行う（ステップＳ３）。一方、７桁以上であれば、外線着信受付処理を行う（ステップＳ４）。
【００１５】
上述した外線着信受付処理の場合（ステップＳ４）には、対応するトランク番号を求め、回線制御部１０４に対し、回線制御情報Ｉを出力する。回線制御部１０４では、呼制御実行部１０３を経由して電話機制御部１０７に対し、該当するトランクの着信指示（呼制御要求Ｋ）を要求する。電話機制御部１０７では、予め該当トランクは部署毎に区別された設定をされていることにより、該当する部署のボタン電話機１０１のみへの着信が可能となる。
【００１６】
次に、図２を参照して、本発明によるボタン電話システムの第１実施形態の動作を説明する。動作に先立ち、発信側ボタン電話装置１００のＩＰプロトコル制御部１０６には、電話番号とＩＰアドレスの対応テーブルおよび着信側ボタン電話装置１１０のＩＰプロトコル制御部１０６には、電話番号と部署毎のトランク番号の対応テーブルが予め登録されているものとする。
【００１７】
発信側ボタン電話装置１００に接続されているボタン電話機１０１からのボタン押下情報Ａを電話機ダイヤル解析部１０２で解析する。電話機の発呼制御の場合には、呼制御実行部１０３に対し呼制御情報Ｂを出力する。呼制御実行部１０３では、該当する空き回線の制御部１０４に呼制御要求Ｃを出力する。一方、回線がＶｏＩＰトランクの場合には、ＩＰプロトコル制御部１０６に対し、回線制御要求（ダイヤル情報）Ｅを出力する。ＩＰプロトコル制御部１０６では、予め登録された相手先番号とＩＰアドレスの対応テーブルにより、ＩＰパケット（ＩＰプロトコル）Ｆを送出する。その場合に、着番号には、ダイヤルされた相手番号を入れる。
【００１８】
ボタン電話装置１１０では、ＩＰプロトコル制御部１０６でＩＰパケット（ＩＰプロトコル）Ｇを受信する。受信した着番号に基づき、図３のフローチャートに示す如く、着番号桁数から内線個別呼び出し処理（ステップＳ３）又は外線着信受付処理（ステップＳ４）を判別する。
【００１９】
外線着信受付処理（ステップＳ４）の場合には、対応するトランク番号を求め、回線制御部１０４に対し、回線制御情報Ｉを出力する。回線制御部１０４では、呼制御実行部１０３を経由して電話機制御部１０７に対し、該当するトランクの着信指示（呼制御要求）Ｋを要求する。電話機制御部１０７では、予め該当トランクは部署毎に区別された設定をされていることにより、該当する部署の電話機だけへの着信が可能となる。
【００２０】
次に、図４を参照して本発明によるボタン電話システムの第２実施形態を説明する。発信側ボタン電話装置１００は、上述した第１実施形態の発信側ボタン電話装置１００と同様であるので省略する。着信側ボタン電話装置１１０’のＩＰプロトコル制御部１０６では、受信したＩＰプロトコルＧの着番号および桁数から内線個別着信を判断し、回線制御部１０４に対し回線制御情報Ｉを出力する。回線制御部１０４では、呼制御実行部１０３経由で電話機制御部１０７に個別電話機への着信指示を行い、電話機制御部１０７では、指定された電話機のみに着信表示を実行する。
【００２１】
以上、本発明によるボタン電話システムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００２２】
【発明の効果】
以上の説明から理解される如く、本発明のボタン電話システムによると、次の如き実用上の顕著な効果が得られる。即ち、同一システム向けへの呼に対して、１つのＩＰアドレスのアサインのみで着信形態をいくつもの種類に設定可能であり、同一システムに複数のＩＰアドレスをしなければならないという従来システムの課題が解決可能である。
【図面の簡単な説明】
【図１】本発明によるボタン電話システムの全体構成図である。
【図２】本発明によるボタン電話システムの第１実施形態の構成を示すブロック図である。
【図３】着番号桁数から内線個別呼出処理又は外線受付処理を判別するフローチャートである。
【図４】本発明によるボタン電話システムの第２実施形態の構成を示すブロック図である。
【符号の説明】
１００  発信側ボタン電話装置
１０１  ボタン電話機
１０２  電話機ダイヤル解析部
１０３  呼制御実行部
１０４  回線制御部
１０６  ＩＰプロトコル制御部
１０７  電話機制御部
１１０  受信側ボタン電話装置
２０１、２１１  ルータ
３００  ＩＰネットワーク
【図１】
0003984819.tif 000002
【図２】
0003984819.tif 000003
【図３】
0003984819.tif 000004
【図４】
0003984819.tif 000005